(57)【特許請求の範囲】
【請求項１】
ユーザの身体から複数の生体データを取得する生体データ入力部と、生体データ識別部を含むマルチ生体認識装置を用いた、非接触式マルチ生体認識方法において、
測定可能な所定の範囲内でユーザが感知された場合、前記マルチ生体認識装置が、非接触状態の前記ユーザから複数の生体データを取得した後、取得した複数の生体データを予め登録された生体データと比較して、各生体データに関するユーザ認証を行うステップと、
前記マルチ生体認識装置が、前記各生体データに関するユーザ認証結果を総合して、前記各生体データに関するユーザ認証結果が所定の条件を満たしている場合、前記ユーザを認可されたユーザとして判断するステップと、を含み、
前記複数の生体データは、
前記ユーザの手の指から取得した指紋データと、
前記ユーザの手の手のひらから取得した手のひら静脈データを含み、
前記生体データ入力部は、
親指を除いた残りの指のうち、所定数の指の指紋を撮影する第１指紋認識カメラと、
親指を除いた残りの指のうち、前記第１指紋認識カメラが撮影していない指の指紋を撮影する第２指紋認識カメラと、
前記ユーザが前記生体データ入力部側に近づいた場合、ユーザの手のひらを撮影して手のひら静脈データを取得可能な手のひら静脈認識カメラを備え、
前記第１指紋認識カメラと、前記第２指紋認識カメラと、前記手のひら静脈認識カメラとは、三角（ｔｒｉａｎｇｕｌａｒ）構図で配置される
ことを特徴とする非接触式マルチ生体認識方法。
【請求項２】
前記ユーザから複数の生体データを取得した後、取得した複数の生体データを予め登録された生体データと比較して、各生体データに関するユーザ認証を行うステップは、
前記マルチ生体認識装置が、前記ユーザから指紋に関する生体データを取得し、予め登録された生体データと比較するステップと、
前記マルチ生体認識装置が、前記ユーザから手のひら静脈に関する生体データを取得し、予め登録された生体データと比較するステップと、を含み、
前記ユーザから指紋に関する生体データを取得し、予め登録された生体データと比較するステップと、前記ユーザから手のひら静脈に関する生体データを取得し、予め登録された生体データと比較するステップとは、同時に行われる
請求項１に記載の非接触式マルチ生体認識方法。
【請求項３】
前記ユーザから指紋に関する生体データを取得し、予め登録された生体データと比較するステップは、
前記マルチ生体認識装置が、前記ユーザから１つの指紋データを取得するステップと、
前記マルチ生体認識装置が、前記１つの指紋データから特徴点を抽出するステップと、
前記マルチ生体認識装置が、前記１つの指紋データから抽出した特徴点を、前記予め登録された生体データから抽出した特徴点とリアルタイムで比較するステップと、
前記マルチ生体認識装置が、各特徴点間の比較結果に基づいて指紋に関するユーザの認証可否を判断するステップと、を含む
請求項２に記載の非接触式マルチ生体認識方法。
【請求項４】
前記１つの指紋データは、少なくとも１つ以上の指の指紋情報を含む複数のグループ指紋情報で形成される
請求項３に記載の非接触式マルチ生体認識方法。
【請求項５】
前記１つの指紋データから抽出した特徴点を、前記予め登録された生体データから抽出した特徴点とリアルタイムで比較するステップは、
前記マルチ生体認識装置が、前記１つの指紋データから抽出した特徴点と前記予め登録された生体データから抽出した特徴点との一致率が、所定の基準値未満である場合、再度前記ユーザから１つの指紋データを追加取得するように設定される
請求項３に記載の非接触式マルチ生体認識方法。
【請求項６】
前記ユーザから指紋に関する生体データを取得し、予め登録された生体データと比較するステップは、
前記マルチ生体認識装置が、前記ユーザから１つの指紋データを追加取得した回数を、所定の回数と比較するステップをさらに含む
請求項５に記載の非接触式マルチ生体認識方法。
【請求項７】
前記各特徴点間の比較結果に基づいて指紋に関するユーザの認証可否を判断するステップは、
前記１つの指紋データから抽出した特徴点と前記予め登録された生体データから抽出した特徴点との一致率が、前記所定の基準値以上である場合、前記マルチ生体認識装置が指紋に関するユーザ認証に成功したと判断し、
前記１つの指紋データから抽出した特徴点と前記予め登録された生体データから抽出した特徴点との一致率が、前記所定の基準値未満である場合の回数が、前記所定の回数以上である場合、前記マルチ生体認識装置が指紋に関するユーザ認証に失敗したと判断する
請求項６に記載の非接触式マルチ生体認識方法。
【請求項８】
前記ユーザから手のひら静脈に関する生体データを取得し、予め登録された生体データと比較するステップは、
前記マルチ生体認識装置が、前記ユーザから手のひら静脈データを取得するステップと、
前記マルチ生体認識装置が、前記手のひら静脈データから特徴点を抽出するステップと、
前記マルチ生体認識装置が、前記手のひら静脈データから抽出した特徴点を、前記予め登録された生体データから抽出した特徴点とリアルタイムで比較するステップと、
前記マルチ生体認識装置が、各特徴点間の比較結果に基づいて手のひら静脈に関するユーザの認証可否を判断するステップと、を含む
請求項２に記載の非接触式マルチ生体認識方法。
【請求項９】
前記各生体データに関するユーザ認証結果を総合して、前記各生体データに関するユーザ認証結果が所定の認証条件を満たしている場合、前記ユーザを認可されたユーザとして判断するステップは、
前記マルチ生体認識装置が、成功したユーザ認証結果と所定のユーザ認証条件との一致可否を確認するステップと、
前記マルチ生体認識装置が、前記成功したユーザ認証結果と前記所定のユーザ認証条件との一致可否の結果に基づいて、ユーザの認可可否を判断するステップと、を含む
請求項１に記載の非接触式マルチ生体認識方法。
【請求項１０】
ユーザが近づいた場合、ユーザの身体が非接触された状態で、前記ユーザの身体から指紋及び手のひら静脈（ｐａｌｍ  ｖｅｉｎ）に関する複数の生体データを取得する生体データ入力部と、
前記生体データ入力部から取得した前記複数の生体データと予め登録されている生体データとを比較してユーザ認証を行う生体データ識別部と、を含み、
前記複数の生体データは、
前記ユーザの手の指から取得した指紋データと、
前記ユーザの手の手のひらから取得した手のひら静脈データを含み、
前記生体データ入力部は、
親指を除いた残りの指のうち、所定数の指の指紋を撮影する第１指紋認識カメラと、
親指を除いた残りの指のうち、前記第１指紋認識カメラが撮影していない指の指紋を撮影する第２指紋認識カメラと、
前記ユーザが前記生体データ入力部側に近づいた場合、ユーザの手のひらを撮影して手のひら静脈データを取得可能な手のひら静脈認識カメラを備え、
前記第１指紋認識カメラと、前記第２指紋認識カメラと、前記手のひら静脈認識カメラとは、三角（ｔｒｉａｎｇｕｌａｒ）構図で配置される
ことを特徴とするマルチ生体認識装置。
【請求項１１】
前記生体データ識別部は、
前記複数の生体データを、前記予め登録されている生体データと同時に比較して各生体データに関する認証を個別に行い、
前記各生体データに関する認証結果を総合してユーザの認可可否を判断する
請求項１０に記載のマルチ生体認識装置。
【請求項１２】
前記生体データ入力部は、
指紋に関する生体データの認証において、前記生体データ識別部により前記指紋に関する生体データの認証が成功するまで、前記ユーザの身体から取得した前記指紋に関する生体データを、前記生体データ識別部にリアルタイムで転送する
請求項１０に記載のマルチ生体認識装置。
【請求項１３】
前記登録された生体データを保存する生体データ登録部と、
前記生体データ識別部の識別結果をＩＤで表示するＩＤ表示部と、
前記生体データ入力部、前記生体データ識別部、前記生体データ登録部及び前記ＩＤ表示部を制御する制御部と、
前記生体データ入力部、前記生体データ識別部、前記生体データ登録部、前記ＩＤ表示部及び前記制御部を内側に収容する収容部と、をさらに含む
請求項１０に記載のマルチ生体認識装置。
【発明の詳細な説明】
【技術分野】
【０００１】
本発明は、マルチ生体データを用いた非接触式マルチ生体認識方法及びマルチ生体認識装置に係り、さらに詳しくは、複数の生体データを取得し、ユーザの識別を行うマルチ生体認識技術を使用して、生体データの認識成功率と速度を高めることができるマルチ生体データを用いた非接触式マルチ生体認識方法及びマルチ生体認識装置に関するものである。
【背景技術】
【０００２】
一般的に、生体認識技術は、生きている人間の身体的特徴や行動的特徴を自動化された装置で測定して、個人識別手段として活用する技術である。
【０００３】
このような生体認識は、身体的特徴の認識と行動的特徴の認識とに区分することができる。身体的特徴の認識には、指紋（ｆｉｎｇｅｒｐｒｉｎｔ）認識、顔（ｆａｃｅ）認識、虹彩（ｉｒｉｓ）認識、静脈（ｖｅｉｎ）認識、網膜（ｒｅｔｉｎａ）認識、手の形（ｈａｎｄ  ｇｅｏｍｅｔｒｙ）認識などがあり、行動的特徴の認識には、音声認識、足つき認識、署名認識などがある。
【０００４】
特に、生体認識のうちの身体的特徴の認識は、比較的古くから開発が行われてきており、金融、出入管理、医療福祉、公共、検疫、エンターテイメントなどのさまざまな分野でのセキュリティ技術として活用されている。
【０００５】
最近では、セキュリティ性を高めるために、複数の身体的特徴認識装置を用いたセキュリティ技術が活用されている。代表的に、指紋認識装置と手のひら静脈認識装置を用いたセキュリティ技術が活用されている。
【０００６】
しかし、上記のように、複数の身体的特徴認識装置を用いる場合、各装置が個別に設けられて多くの体積を占めるのはもちろん、ユーザが各機器別に認識過程を別途行う必要があるため、過程が複雑であり、認証に長い時間がかかるという問題があった。
【０００７】
また、指紋認識において、ユーザが直接機器の表面に指を接触しなければならない構造で構成されているので、多数のユーザが同じ装置を用いる場合、一部のユーザにとって心理的抵抗感を生じさせるという問題があった。
【０００８】
一方、従来は、上記のような問題を解決するために、非接触でユーザの指紋を認識することができる非接触指紋認識技術が開発されている。これは、ユーザが機器に接触する前に、カメラでユーザの指紋画像を取得してユーザを識別するための技術である。
【０００９】
このような非接触指紋認識技術は、ユーザの手が機器に近接する場合、カメラがユーザの指紋を複数撮影して複数の指紋画像を取得し、取得した複数の指紋画像のうちのいずれか１つを、所定の選定基準に応じて選定した後、これを既存に保存されていたユーザ生体情報（指紋情報）と比較してユーザを識別する特徴がある。
【００１０】
しかし、上記の従来の非接触指紋認識技術は、複数の指紋画像を取得した後、取得した複数の指紋画像のうちのいずれか１つを、所定のアルゴリズムに基づいて選定する過程を実行することから、ユーザの識別において長い時間がかかるという問題があった。
【００１１】
また、上記の従来の非接触指紋認識技術は、撮影されたすべての指紋画像を既存の保存ユーザ生体情報と比較するのではなく、所定の選定基準に基づいて任意に選定された画像だけを比較して識別を行うことから、最適な指紋画像が選ばれても、ユーザの識別の過程で適合していない画像として認識され、ユーザの識別に失敗する確率が高いという問題があった。
【００１２】
さらに、上記のようにユーザの識別に失敗した場合には、再度同じ過程を繰り返し行う必要があるため、ユーザの待機時間が長くなり、ユーザに不快感を与えるという問題があった。
【発明の概要】
【発明が解決しようとする課題】
【００１３】
本発明が解決しようとする技術的課題は、個別生体認識技術を融合して同時処理が可能で、ユーザの生体情報の登録または識別過程で発生する可能性のある、時間がかかることや不便さ、心理的抵抗感などの問題を防止することができるマルチ生体データを用いた非接触式マルチ生体認識方法及びマルチ生体認識装置を提供することである。
【００１４】
本発明の他の技術的課題は、ユーザから生体データが入力された場合、ユーザの識別が成功するまで、ユーザの身体から取得したすべての生体データを、予め登録されている生体データとリアルタイムで比較してユーザの識別を行うことにより、ユーザ識別の失敗確率を下げ、迅速かつ正確なユーザ識別が可能なマルチ生体データを用いた非接触式マルチ生体認識方法及びマルチ生体認識装置を提供することである。
【００１５】
本発明が解決しようとする技術的課題は、以上で言及した技術的課題に限定されず、言及されていないまた他の技術的課題は、下記の記載から、本発明が属する技術分野における通常の知識を有する者に明確に理解される。
【課題を解決するための手段】
【００１６】
上記技術的課題を達成するために、本発明の実施形態に係るマルチ生体データを用いた非接触式マルチ生体認識方法は、測定可能な所定の範囲内でユーザが感知された場合、非接触状態の前記ユーザから複数の生体データを取得した後、取得した複数の生体データを予め登録された生体データと比較して、各生体データに関するユーザ認証を行うステップと、前記各生体データに関するユーザ認証結果を総合して、前記各生体データに関するユーザ認証結果が所定の条件を満たしている場合、前記ユーザを認可されたユーザとして判断するステップと、を含むことを特徴とする。
【００１７】
前記測定可能な所定の範囲内でユーザが感知された場合、非接触状態の前記ユーザから複数の生体データを取得した後、取得した複数の生体データを予め登録された生体データと比較して、各生体データに関するユーザ認証を行うステップは、前記ユーザから指紋に関する生体データを取得し、予め登録された生体データと比較するステップと、前記ユーザから手のひら静脈に関する生体データを取得し、予め登録された生体データと比較するステップと、を含み、前記ユーザから指紋に関する生体データを取得し、予め登録された生体データと比較するステップと、前記ユーザから手のひら静脈に関する生体データを取得し、予め登録された生体データと比較するステップとは、同時に行われてもよい。
【００１８】
前記ユーザから指紋に関する生体データを取得し、予め登録された生体データと比較するステップは、前記ユーザから１つの指紋データを取得するステップと、前記１つの指紋データから特徴点を抽出するステップと、前記１つの指紋データから抽出した特徴点を、前記予め登録された生体データから抽出した特徴点とリアルタイムで比較するステップと、各特徴点間の比較結果に基づいて指紋に関するユーザの認証可否を判断するステップと、を含んでもよい。
【００１９】
前記１つの指紋データは、少なくとも１つ以上の指の指紋情報を含む複数のグループ指紋情報で形成されてもよい。
【００２０】
前記１つの指紋データから抽出した特徴点を、前記予め登録された生体データから抽出した特徴点とリアルタイムで比較するステップは、前記１つの指紋データから抽出した特徴点と前記予め登録された生体データから抽出した特徴点との一致率が、所定の基準値未満である場合、再度前記ユーザから１つの指紋データを追加取得するように設定されてもよい。
【００２１】
前記ユーザから指紋に関する生体データを取得し、予め登録された生体データと比較するステップは、前記ユーザから１つの指紋データを追加取得した回数を、所定の回数と比較するステップをさらに含んでもよい。
【００２２】
前記各特徴点間の比較結果に基づいて指紋に関するユーザの認証可否を判断するステップは、前記１つの指紋データから抽出した特徴点と前記予め登録された生体データから抽出した特徴点との一致率が、前記所定の基準値以上である場合、指紋に関するユーザ認証に成功したと判断し、前記１つの指紋データから抽出した特徴点と前記予め登録された生体データから抽出した特徴点との一致率が、前記所定の基準値未満である場合の回数が、前記所定の回数以上である場合、指紋に関するユーザ認証に失敗したと判断することができる。
【００２３】
前記ユーザから手のひら静脈に関する生体データを取得し、予め登録された生体データと比較するステップは、前記ユーザから手のひら静脈データを取得するステップと、前記手のひら静脈データから特徴点を抽出するステップと、前記手のひら静脈データから抽出した特徴点を、前記予め登録された生体データから抽出した特徴点とリアルタイムで比較するステップと、各特徴点間の比較結果に基づいて手のひら静脈に関するユーザの認証可否を判断するステップと、を含んでもよい。
【００２４】
前記各生体データに関するユーザ認証結果を総合して、前記各生体データに関するユーザ認証結果が所定の認証条件を満たしている場合、前記ユーザを認可されたユーザとして判断するステップは、成功したユーザ認証結果と所定のユーザ認証条件との一致可否を確認するステップと、前記成功したユーザ認証結果と前記所定のユーザ認証条件との一致可否の結果に基づいて、ユーザの認可可否を判断するステップと、を含んでもよい。
【００２５】
一方、本発明の実施形態に係るマルチ生体認識装置は、ユーザが近づいた場合、ユーザの身体が非接触された状態で、前記ユーザの身体から指紋及び手のひら静脈（ｐａｌｍ  ｖｅｉｎ）に関する複数の生体データを取得する生体データ入力部と、前記生体データ入力部から取得した前記複数の生体データと予め登録されている生体データとを比較してユーザ認証を行う生体データ識別部と、を含むことを特徴とする。
【００２６】
前記生体データ識別部は、前記複数の生体データを、前記予め登録されている生体データと同時に比較して各生体データに関する認証を個別に行い、前記各生体データに関する認証結果を総合してユーザの認可可否を判断することができる。
【００２７】
前記生体データ入力部は、指紋に関する生体データの認証において、前記生体データ識別部により前記指紋に関する生体データの認証が成功するまで、前記ユーザの身体から取得した前記指紋に関する生体データを、前記生体データ識別部にリアルタイムで転送することができる。
【００２８】
前記生体データ入力部は、前記ユーザが前記生体データ入力部側に近づいた場合、ユーザの指を撮影して少なくとも２つ以上の指紋データを取得可能な複数の指紋認識カメラを備える指紋認識手段と、前記ユーザが前記生体データ入力部側に近づいた場合、ユーザの手のひらを撮影して手のひら静脈データを取得可能な手のひら静脈認識カメラを備える手のひら静脈認識手段と、を含んでもよい。
【００２９】
前記複数の指紋認識カメラは、親指を除いた残りの指のうち、所定数の指の指紋を撮影する第１指紋認識カメラと、親指を除いた残りの指のうち、前記第１指紋認識カメラが撮影していない指の指紋を撮影する第２指紋認識カメラと、を含んでもよい。
【００３０】
生体データが予め登録されている生体データ登録部と、前記生体データ識別部の識別結果をＩＤで表示するＩＤ表示部と、前記生体データ入力部、前記生体データ識別部、前記生体データ登録部及び前記ＩＤ表示部を制御する制御部と、前記生体データ入力部、前記生体データ識別部、前記生体データ登録部、前記ＩＤ表示部及び前記制御部を内側に収容する収容部と、をさらに含んでもよい。
【発明の効果】
【００３１】
本発明の実施形態によれば、独立した生体認識技術を融合して、多数の生体認識及び識別を同時に行うことができ、審美的に優れユーザフレンドリーなユーザインタフェースを提供することができる。
【００３２】
また、生体データの登録および識別過程で時間がかかることや不便さを減らし、生体認識過程での心理的抵抗感を減らすことができる。特に、生体情報の認識率が高く、しかもその内部の装置がユーザに見えないため、ユーザ拒否感や不快感が減少したマルチ生体認識装置を提供することができる。
【００３３】
また、ユーザから生体データが入力された場合、ユーザ識別が成功するまで、ユーザの身体から取得したすべての生体データを、予め登録されている生体データとリアルタイムで比較してユーザ識別を行うことにより、ユーザ識別の失敗確率を下げ、迅速なユーザ識別を行うことができる。
【００３４】
本発明の効果は、上記の効果に限定されるものではなく、本発明の詳細な説明または特許請求の範囲に記載された発明の構成から推論可能なすべての効果を含む。
【図面の簡単な説明】
【００３５】
【図１】本発明の実施形態に係るマルチ生体認識装置を示す構成図
【図２】本発明の実施形態に係るマルチ生体認識装置の分解斜視図
【図３】本発明の実施形態に係るマルチ生体認識装置の結合斜視図
【図４】本発明の他の実施形態に係るマルチ生体認識装置の結合斜視図
【図５】ユーザがゲートを通過するために、マルチ生体認識装置に近づいて認証が行われる様子を示す説明図
【図６】本発明の実施形態に係るマルチ生体認識装置から取得可能な指紋データの種類を示す説明図
【図７】本発明の実施形態に係るマルチ生体データを用いた非接触式マルチ生体認識方法を示すフローチャート
【図８】本発明の実施形態に係るマルチ生体データを用いた非接触式マルチ生体認識方法を示すフローチャート
【図９】本発明の実施形態に係るマルチ生体データを用いた非接触式マルチ生体認識方法を示すフローチャート
【図１０】本発明の実施形態に係るマルチ生体データを用いた非接触式マルチ生体認識方法を示すフローチャート
【図１１】本発明の実施形態に係るマルチ生体データを用いた非接触式マルチ生体認識方法を示すフローチャート
【図１２】本発明の実施形態に係るマルチ生体データを用いた非接触式マルチ生体認識方法を示すフローチャート
【図１３】本発明の実施形態に係るマルチ生体データを用いた非接触式マルチ生体認識方法を示すフローチャート
【発明を実施するための形態】
【００３６】
以下、添付図面に基づき、本発明について説明する。しかし、本発明は、さまざまに異なる形態にも具現可能であり、したがって、ここで説明する実施形態に限定されるものではない。そして、図面において、本発明について明確に説明するために、説明と関係ない部分は省略し、明細書の全般に亘って、類似した部分については、類似した図面符号を付した。
【００３７】
明細書の全般に亘って、ある部分が他の部分と「連結（接続、接触、結合）」されているとしたとき、これは、「直接的に連結」されている場合だけではなく、これらの間に他の素子を挟んで「間接的に連結」されている場合も含む。また、ある部分がある構成要素を「含む」としたとき、これは、特に断りのない限り、他の構成要素を除外するものではなく、他の構成要素をさらに備えていてもよいということを意味する。
【００３８】
本明細書で使用される用語は、単に特定の実施形態を説明するために使われるものであって、本発明を限定するものではない。単数の表現は、文脈上明らかに異なるものを意味しない限り、複数の表現を含む。本明細書において、「含む（備える）」または「有する」などの用語は、明細書上に記載された特徴、数字、ステップ、動作、構成要素、部品またはこれらを組み合わせたものが存在することを指定しようとするものであって、１つまたはそれ以上の他の特徴や数字、ステップ、動作、構成要素、部品またはこれらを組み合わせたものの存在または付加の可能性を予め排除するものではない。
【００３９】
以下、添付図面に基づき、本発明の実施形態について詳細に説明する。
【００４０】
図１を参照すると、本発明の実施形態に係るマルチ生体認識装置１００（以下、「マルチ生体認識装置１００」という。）は、ユーザ１の身体が非接触状態で近づいた場合、ユーザ１から複数の生体データを取得し、これに基づいてユーザ１の識別を行うことができる生体認識セキュリティ装置であって、生体データ入力部１０を含む。
【００４１】
生体データ入力部１０は、本マルチ生体認識装置１００に近づいているユーザ１から複数の生体データを取得する。
【００４２】
さらに詳しくは、生体データ入力部１０は、ユーザ１０が本マルチ生体認識装置１００に近づいた場合、ユーザの身体が非接触された状態で、ユーザの身体（例えば、手）から指紋及び手のひら静脈（ｐａｌｍ  ｖｅｉｎ）に関する複数の生体データを取得する。ここで、ユーザ１の身体が「非接触された状態」とは、ユーザ１の身体（例えば、指や手のひらなど）が本マルチ生体認識装置１００から認識可能な位置に配置されるが、本マルチ生体認識装置１００に接触されていない状態を意味する。
【００４３】
図１及び図２を参照すると、生体データ入力部１０は、ユーザ１の身体部位に応じて、それぞれの生体データを取得することができる複数の生体手段を含んでもよい。
【００４４】
さらに詳しくは、生体データ入力部１０は、指紋認識手段１１及び手のひら静脈認識手段１２を含んでもよい。
【００４５】
指紋認識手段１１は、ユーザ１が生体データ入力部１０側に近づいた場合、ユーザ１の指から複数の指紋データを取得することができる。
【００４６】
指紋認識手段１１は、複数の認識カメラ１１１、１１３を備えてもよい。
【００４７】
複数の指紋認識カメラ１１１、１１３は、ユーザ１が生体データ入力部１０側に近づいた場合、ユーザ１の指を撮影して少なくとも２つ以上の指紋データを取得することができる。
【００４８】
さらに詳しくは、複数の指紋認識カメラ１１１、１１３は、親指を除いた残りの指のうち、所定数の指の指紋を撮影する第１指紋認識カメラ１１１と、親指を除いた残りの指のうち、第１指紋認識カメラ１１１が撮影していない指の指紋を撮影する第２指紋認識カメラ１１３を含んでもよい。例示的に、図６の（ｃ）に示すように、第１指紋認識カメラ１１１がユーザ１の第１指Ｆ１、第２指Ｆ２及び第３指Ｆ３を撮影する場合、第２指紋認識カメラ１１３はユーザ１の第４指Ｆ４指紋を撮影することができる。これとは異なり、図
６の（ａ）に示すように、第１指紋認識カメラ１１１がユーザ１の第１指Ｆ１指紋のみを撮影し、第２指紋認識カメラ１１３がユーザ１の第２指Ｆ２、第３指Ｆ３及び第４指Ｆ４の指紋を撮影することもできる。また、図６の（ｂ）に示すように、第１指紋認識カメラ１１１と第２指紋認証カメラ１１３がそれぞれ２本の指の指紋を撮影することもできる。すなわち、複数の指紋認識カメラ１１１、１１３は、ユーザ１の指が本マルチ生体認識装置１００と接触していない非接触（ｔｏｕｃｈｌｅｓｓ）状態では、ユーザ１の親指を除いた残りの４本の指の指紋を同時に撮影することができる。
【００４９】
したがって、本マルチ生体認識装置１００は、複数の指紋情報によりユーザ１認証を行うことができる。ここで、指紋認識手段１１は、上述したように、複数の指紋認識カメラ１１１、１１３そのものであってもよく、これとは異なり、複数の指紋認識カメラ１１１、１１３と、複数の指紋認識カメラ１１１、１１３によって撮影された画像をデータ処理するプロセッサ（図示せず）と、を含むモジュールであってもよい。
【００５０】
手のひら静脈認識手段１２は、ユーザ１が生体データ入力部１０側に近づいた場合、ユーザ１の手のひらから手のひら静脈データを取得することができる。
【００５１】
手のひら静脈認識手段１２は、手のひら静脈認識カメラ１２１を備えてもよい。
【００５２】
手のひら静脈認識カメラ１２１は、ユーザ１が本マルチ生体認識装置１００に近づいた場合、ユーザ１の手のひらを撮影して手のひら静脈データを取得することができる。ここで、手のひら静脈認識手段１２は、上述したように、手のひら静脈認識カメラ１２１そのものであってもよく、これとは異なり、手のひら静脈認識カメラ１２１と、手のひら静脈認識カメラ１２１によって撮影された画像をデータ処理するプロセッサ（図示せず）と、を含むモジュールであってもよい。
【００５３】
一方、複数の指紋認識カメラ１１１、１１３と手のひら静脈認識カメラ１２１は、図２及び図６に示すように、三角構図で配置されてもよい。
【００５４】
さらに詳しくは、複数の指紋認識カメラ１１１、１１３は、ユーザ１の手が非接触状態で近づいた場合、手のひらよりも相対的に上側に位置するユーザ１の指を撮影できるように、手のひら静脈認識カメラ１２１に比べて相対的に上側に配置されてもよい。また、手のひら静脈認識カメラ１２１は、指よりも相対的に下側に位置するユーザ１の手のひらを撮影できるように、複数の指紋認識カメラ１１１、１１３に比べて相対的に下側に配置されてもよい。
【００５５】
したがって、ユーザ１が、自分の生体データを本マルチ生体認識装置１００の生体データ入力部１０に入力させるために、自分の指を複数の指紋認識カメラ１１１、１１３に近づけた場合、ユーザ１の手のひらは、手のひら静脈認識カメラ１２１と対向する位置に自動的に配置され得る。
【００５６】
また、生体データ入力部１０は、ユーザ１０が本マルチ生体認識装置１００に近づいた場合、ユーザの身体が非接触された状態で、ユーザの身体から顔及び虹彩に関する複数の生体データをさらに取得することができる。
【００５７】
さらに詳しくは、生体データ入力部１０は、顔認識手段１３及び虹彩認識手段１４をさらに含んでもよい。
【００５８】
顔認識手段１３は、ユーザ１が生体データ入力部１０側に近づいた場合、ユーザ１から顔画像データを取得することができる。
【００５９】
顔認識手段１３は、顔認識カメラ１３１を備えてもよい。
【００６０】
顔認識カメラ１３１は、ユーザ１が本マルチ生体認識装置１００に近づいた場合、ユーザ１の顔を撮影して顔画像データを取得することができる。
【００６１】
さらに詳しくは、顔認識カメラ１３１は、手のひら静脈認識カメラ１２１の一方の側に配置されて、ユーザ１の手が複数の指紋認識カメラ１１１、１１３及び手のひら静脈認識カメラ１２１に対応する位置に配置される場合、ユーザ１の親指と人差し指との間に対応する領域に配置されてもよい。
【００６２】
したがって、ユーザ１が指紋認識手段１１によりユーザ１の識別を行う場合、ユーザ１の親指と人差し指との間でユーザ１の顔を撮影することができる。
【００６３】
ここで、顔認識手段１３は、顔認識カメラ１３１そのものであってもよく、これとは異なり、顔認識カメラ１３１と、顔認識カメラ１３１によって撮影された画像データを処理するプロセッサ（図示せず）と、を含むモジュールであってもよい。
【００６４】
虹彩認識手段１４は、ユーザ１が生体データ入力部１０側に近づいた場合、ユーザ１から虹彩データを取得することができる。
【００６５】
虹彩認識手段１４は、虹彩認識カメラ１４１を備えてもよい。
【００６６】
虹彩認識カメラ１４１は、ユーザ１が本マルチ生体認識装置１００に近づいた場合、ユーザ１の眼球を撮影して虹彩データを取得することができる。
【００６７】
さらに詳しくは、虹彩認識カメラ１４１は、前記顔認識カメラ１３１と共に手のひら静脈認識カメラ１２１の一方の側に配置されて、ユーザ１の手が複数の指紋認識カメラ及び手のひら静脈認識カメラ１２１に対応する位置に配置される場合、ユーザ１の親指と人差し指との間に対応する領域に配置されてもよい。
【００６８】
したがって、ユーザ１が指紋認識手段１１によりユーザ１の識別を行う場合、ユーザ１の親指と人差し指との間でユーザ１の虹彩を撮影することができる。例えば、図２には虹彩認識カメラが顔認識カメラ１３１の上部に配置されているが、顔認識カメラ１３１と虹彩認識カメラ１４１の位置は、互いに変わっても構わない。
【００６９】
ここで、虹彩認識手段１４は、虹彩認識カメラ１４１そのものであってもよく、これとは異なり、虹彩認識カメラ１４１と、虹彩認識カメラ１４１によって撮影された画像データを処理するプロセッサ（図示せず）と、を含むモジュールであってもよい。
【００７０】
一方、顔認識カメラ１３１と虹彩認識カメラ１４１は、パン・チルト（ｐａｎ−ｔｉｌｔ）ドライバー１５によって駆動されてもよい。
【００７１】
さらに詳しくは、虹彩認識カメラ１４１と顔認識カメラ１３１は、図２に示すように、パン・チルトドライバ１５によって左右方向または上下方向に移動するか回転しながら、ユーザ１の虹彩または顔をそれぞれ撮影することができる。例えば、虹彩認識カメラ１４１および顔認識カメラ１３１は、同一のパン・チルトドライバ１５によって駆動されてもよく、それぞれ別個のパン・チルトドライバ１５によって個別に駆動されてもよい。
【００７２】
すなわち、虹彩認識カメラ１４１および顔認識カメラ１３１は、前記パン・チルトドライバ１５の物理的な移動によって機械的な（非光学的な）ズームイン（ｚｏｏｍ  ｉｎ）及びズームアウト（ｚｏｏｍ  ｏｕｔ）機能を実行することができる。もちろん、虹彩認識カメラ１４１または顔認識カメラ１３１は、機械的なズーム機能と光学的なズーム機能を共に実行することができる。したがって、ユーザ１が虹彩認識カメラ１４１または顔認識カメラ１３１に意図的に自分の目または顔を近づけることなく、ユーザ１が、本マルチ生体認識装置１００からユーザの生体データを取得可能な設定範囲内に位置した場合、虹彩認識カメラ１４１および顔認識カメラ１３１は、前記パン・チルトドライバ１５の物理的な移動によってユーザ１の虹彩または顔をフォーカシングした後、ユーザ１の虹彩の大きさまたは顔の大きさを調整して、距離に関係なくユーザ１の虹彩または顔を常に一定の大きさで撮影することができる。
【００７３】
また、本マルチ生体認識装置１００は、生体データ識別部２０を含む。
【００７４】
図１を参照すると、生体データ識別部２０は、生体データ入力部１０から取得した複数の生体データと予め登録されている生体データとを比較してユーザ１の認証を行う。
【００７５】
すなわち、生体データ識別部２０は、生体データ入力部１０から取得したマルチ生体データを、予め登録されている生体データと同時に比較して、生体データ入力部１０から入力された各生体データに関する認証を個別に行い、各生体データに関する認証結果を総合してユーザの認可可否を判断することができる。もちろん、予め登録されているユーザ１の各生体データの種類や量に応じて、認証の過程で個別に時間差が発生する可能性がある。また、生体データ識別部２０は、各生体データのうち、先に識別が行われる生体データからセキュリティ管理者が確認できるように、ディスプレイなどにより外部に表示することも可能である。
【００７６】
ここで、生体データ識別部２０は、１対１マッチングで本人であることを確認する認証（ｖｅｒｉｆｉｃａｔｉｏｎ）を行うこともでき、１対Ｎマッチングで多くの人々の中からユーザ１を見つける識別（ｉｄｅｎｔｉｆｉｃａｔｉｏｎ）を行うこともできる。すなわち、厳密に言って、認証と識別は別個のもので、応用領域に応じて選択的に利用されるものである。しかし、本発明において、「認証」または「識別」とは、生体データを利用して本人であることを確認するか見つける過程を総称するもので、広義に解釈されることが望ましい。
【００７７】
一方、本マルチ生体認識装置１００は、ユーザ１から指紋に関する生体データが入力される場合、指紋に関するユーザ認証が成功するまで、ユーザ１から取得したすべての指紋に関する生体データを、予め登録されている生体データとリアルタイムで比較することができる。
【００７８】
さらに詳しくは、生体データ入力部１０は、指紋に関する生体データの認証において、生体データ識別部２０により指紋に関する生体データの認証が成功するまで、ユーザ１の身体から取得した指紋に関する生体データを生体データ識別部２０にリアルタイムで転送し、生体データ識別部２０は、生体データ入力部１０からリアルタイムで転送された指紋に関する生体データを予め登録されている生体データと比較して、指紋に関する生体データの認証を行うことができる。
【００７９】
すなわち、本マルチ生体認識装置１００は、ユーザ１から指紋に関する生体データを取得した後、所定の基準に基づいて、取得した複数の生体データのうち最高の生体データを選定し、選定された生体データを予め登録されている生体データと比較してユーザ１認証を行うのとは異なり、現在取得した１つの生体データを予め登録されている生体データとリアルタイムで比較してユーザ１認証を行い、この場合、前記過程をユーザ１認証が成功するまで繰り返し行うことができる。ここで、ユーザ１認証が成功した場合とは、現在取得した生体データの特徴点と、予め登録されている生体データの特徴点との比較結果が、システムが設定した基準値以上に一致する場合を意味する。
【００８０】
したがって、本マルチ生体認識装置１００は、ユーザ１から複数の生体データを取得した後、取得した複数の生体データのうちの１つを選定する過程を行うことなく、取得した生体データを予め登録されている生体データとリアルタイム比較する過程を、ユーザ認証が成功するまで繰り返し行うことにより、ユーザ１認証に際して、失敗の確率を下げるのはもとより、より迅速でより正確なユーザ１認証を行うことができる。
【００８１】
図１及び２を参照すると、本マルチ生体認識装置１００は、生体データ登録部３０、ＩＤ表示部４０、制御５０をさらに含んでもよい。
【００８２】
生体データ登録部３０は、後述する制御部５０を介して生体データ識別部２０と連結されるように構成され、ユーザ１の生体データが予め登録されていてもよい。したがって、生体データ識別部２０は、生体データ入力部１０から取得した生体データと生体データ登録部３０に予め登録されているユーザ１の生体データとを比較して、識別を行うことができる。
【００８３】
ＩＤ表示部４０は、制御部５０を介して生体データ識別部２０と連結されるように構成され、生体データ識別部２０が識別したユーザ１の生体データに対する識別結果をＩＤで表示することができる。このようなＩＤ表示部４０の識別結果は、セキュリティ管理者またはユーザ１が確認できる。
【００８４】
制御部５０は、生体データ入力部１０、生体データ登録部３０、生体データ識別部２０及びＩＤ表示部４０と連結され、これらのそれぞれの動作を制御する役割を果たす。
【００８５】
また、本マルチ生体認識装置１００は、生体データ保存データベース６０をさらに含んでもよい。
【００８６】
生体データ保存データベース６０は、生体データ登録部３０に登録されている生体データのバックアップを取ることができる。すなわち、人為的ミスや、ハードウェアの問題、ソフトウェアの問題、盗難、コンピュータウイルス、サイバーテロ、災害などの問題が発生した場合、生体データ登録部３０に登録されているユーザ１の生体情報が失われる可能性がある。したがって、生体データ登録部３０のデータは、生体データ保存データベース６０に定期的にバックアップされるように設定されてもよい。
【００８７】
ここで、生体データ保存データベース６０は、タンパープロテクション（ｔａｍｐｅｒ  ｐｒｏｔｅｃｔｉｏｎ）機能に利用できる。すなわち、本マルチ生体認識装置１００が、本マルチ生体認識装置１００が設けられる外部コントローラから分離されると、生体データ登録部３０に登録されているデータはすべて削除できる。逆に、本マルチ生体認識装置１００がコントローラに再び連結されると、生体データ保存データベース６０にバックアップされていたデータは、生体データ登録部３０に復元できる。
【００８８】
これにより、本マルチ生体認識装置１００が盗難などの理由で失われても、個人情報である生体データの損失を防ぐことができる。すなわち、本マルチ生体認識装置１００が外部コントローラから分離されると、生体データ登録部３０に登録されているデータがすべて削除されるので、ユーザ１の生体データが流出する問題を事前に防止することができる。また、分離されたマルチ生体認識装置１００が外部コントローラに再び連結されると、生体データ保存データベース６０にバックアップされていたデータがすべて生体データ登録部３０に復元されるので、ミス又は修理、管理等の目的のために、本マルチ生体認識装置１００を外部コントローラから分離してから再び連結した場合でも、生体データを再入力する手間が発生しない。
【００８９】
また、本マルチ生体認識装置１００は、収容部７０をさらに含んでもよい。
【００９０】
図２及び図３を参照すると、収容部７０は、生体データ入力部１０、生体データ識別部２０、生体データ登録部３０、ＩＤ表示部４０及び制御部５０を内側に収容可能な構造で形成されてもよい。
【００９１】
さらに詳しくは、収容部７０は、球状に形成され、内側には生体データ入力部１０、生体データ識別部２０、生体データ登録部３０、ＩＤ表示部４０及び制御部５０を収容可能な収容空間が形成されてもよい。しかし、収容部７０は、球状に限定されるものではなく、必要に応じて様々な形状に変更されて適用できる。例えば、本マルチ生体認識装置１００の生体データ入力部１０、生体データ識別部２０、生体データ登録部３０、ＩＤ表示部４０及び制御部５０は、１つのモジュール形状に形成されて収容部７０に収納されるように形成されてもよい。
【００９２】
また、収容部７０は、複数の外皮を含んでもよい。
【００９３】
さらに詳しくは、複数の外皮は、前面部材７１、後面部材７２、両側に位置する２つの側面部材７３、７４、上部部材７５及び下部部材７６で構成されてもよい。
【００９４】
前面部材７１と後面部材７２は、互いに対向配置され、側面部材７３、７４、上部部材７５及び下部部材７６と結合すると球状を呈するように曲面状に形成されてもよい。
【００９５】
２つの側面部材７３、７４は、後面部材７２から着脱可能に設けられてもよい。したがって、システム管理者は、側面部材７３、７４を開放することにより、収容部７０の内部に生体認識モジュールを装着したり、本マルチ生体認識装置１００を維持及び補修したりすることができる。
【００９６】
上部部材７５は、ユーザ１の利便性（アクセシビリティ）を考慮して、垂直方向から所定の角度で傾いた領域に取り付けられてもよい。これにより、ユーザ１の指または手のひらが本マルチ生体認識装置１００に向かって近づくとき、ユーザ１はより楽な姿勢を取ることができる。例えば、上部部材７５は、ハーフミラー（ｈａｌｆ  ｍｉｒｒｏｒ）構造で形成されてもよい。
【００９７】
また、垂直方向から所定の角度で傾いた領域に位置する上部部材７５の一側には、複数の貫通ホール７５１、７５３が形成されてもよい。このような複数の貫通ホール７５１、７５３には、収容部７０に設けられた複数の指紋認識カメラ１１１、１１３のレンズ部がそれぞれ配置されてもよい。
【００９８】
さらに詳しくは、複数の貫通ホール７５１、７５３は、一方の側に形成されて第１指紋認識カメラ１１１の一面が露出される第１貫通ホール７５１と、他方の側に形成されて第２指紋認識カメラ１１３の一面が露出される第２貫通ホール７５３と、を含んでもよい。例えば、第１貫通ホール７５１を介して一面が外部に露出される第１指紋認識カメラ１１１は、親指を除いた残りの指のうち、所定数の指の指紋を撮影し、第２貫通ホール７５３を介して一面が外部に露出される第２指紋認識カメラ１１３は、親指を除いた残りの指のうち、第１指紋認識カメラ１１１が撮影していない指の指紋を撮影することができる。
【００９９】
下部部材７６は、前面部材７１及び後面部材７２と結合され、下部部材７６の中心には、本マルチ生体認識装置１００と外部コントローラとを連結するために、収容部７０の収容空間と連通する連通ホール７６１が形成されてもよい。
【０１００】
ここで、前述した実施形態では、収容部７０が６つの部材で構成されたと説明したが、収容部７０は、これに限定されるものではなく、より多様な形態に変更されて適用できる。例えば、図４に示すように、収容部７０の上部部材７５と下部部材７６は、直接締結されて１つの球状を呈する半球状に形成されてもよい。
【０１０１】
また、収容部７０は、固定部材７７をさらに含んでもよい。
【０１０２】
図２を参照すると、固定部材７７は、リング状に形成され、下部部材７６を除いた前面部材７１、後面部材７２、両側面部材７３、７４及び上部部材７５と結合されてもよい。ここで、上部部材７５と固定部材７７との間には、リング状の光源７８が設けられてもよい。光源７８は、装飾的または審美的効果、且つ、ユーザ１の指または手のひらを誘導する機能の効果を有することができる。
【０１０３】
また、収容部７０は、案内ガイド７９をさらに含んでもよい。
【０１０４】
図３を参照すると、収容部７０には、ユーザ１の指または手のひらの接近方向を案内する案内ガイド７９が形成されてもよい。
【０１０５】
さらに詳しくは、上部部材７５の表面には案内ガイド７９が形成されてもよい。したがって、案内ガイド７９は、ユーザ１の指または手のひらの接近方向を案内し、所定の案内方式（例えば、視覚または触覚）によって指または手のひらの接近方向を案内することができる。これにより、ユーザ１の指及び手のひらが、本マルチ生体認識装置１００に近づきやすくなる。例えば、案内ガイド７９は、光源７８あるいは透明インク等により指や手のひらの形を表す形状に形成されてもよい。また、案内ガイド７９は、別の色で表示されてもよく、凹凸形状に形成されてもよい。また、指や手のひらの形が表された箇所には空気排出部が設けられて、ユーザ１が風を感知して本マルチ生体認識装置１００に近づくように誘導することも可能である。しかし、案内ガイド７９は、前記実施形態に限定されず、同じ機能を実現できる条件下で様々な形状に変更されて適用できる。
【０１０６】
以下では、本マルチ生体認識装置１００を用いた出入りシステムについて説明する。
【０１０７】
図５を参照すると、本マルチ生体認識装置１００を用いた出入りシステムは、前述したような本マルチ生体認識装置１００と、本マルチ生体認識装置１００により識別が行われたユーザ１を選別して出入りさせるゲート２００と、を含む。例えば、ゲート２００は、スイングドアまたはスライドドアのようにユーザ１の出入りを物理的に制御することができる手段であり得、その構造及び形状は特に限定されない。
【０１０８】
したがって、ユーザ１は、ゲート２００を通過するために、本マルチ生体認識装置１００を介してユーザ１本人であることを認証しなければならず、本マルチ生体認識装置１００によるユーザ１認証過程を通過すると、ユーザ１は、ゲート２００を通過することができるようになる。
【０１０９】
さらに詳しくは、ユーザ１は、ゲート２００を通過するために自分の生体情報を本マルチ生体認識装置１００に提供し、本マルチ生体認識装置１００は、ユーザ１から取得した生体データを予め登録されているユーザ１の生体データと比較して識別を行うことができる。例えば、ユーザ１は、本マルチ生体認識装置１００に自分の生体情報を提供するために、自分の指または手のひらを本マルチ生体認識装置１００に非接触状態で近づけながら本マルチ生体認識装置１００を眺めるようになる。これにより、本マルチ生体認識装置１００内に備えた生体データ入力部１０は、ユーザ１の生体データを取得することになる。
【０１１０】
このとき、本マルチ生体認識装置１００は、様々な出入り許容条件を設定することができる。
【０１１１】
まず、２つ以上のマルチ生体データのうちで先に認証がなされたいずれか１つの生体データに基づいて出入りを許容することができる。この場合、出入りを迅速に許容することができる。
【０１１２】
次に、２つ以上の生体データのすべてが認証されるときに限って出入りを許容することも可能である。この場合、セキュリティ条件が強化され、誤認識による出入り許容やセキュリティ事故の確率が低くなる。
【０１１３】
また、上記のような２つのケースを適切に組み合わせた出入り許容条件を設定することも可能である。例えば、データの正確性と安定性、セキュリティ性の高い静脈（手のひら静脈）や虹彩による認証が行われた場合には、その１つの生体データだけに基づいて出入りを許容することができ、これとは異なり、データの正確性と安定性が比較的低い顔画像による認証が行われた場合には、他の生体データ、例えば、指紋や虹彩による認証をも要求することでセキュリティ性を高める方法を取ることができる。この他にも、セキュリティ要求レベルや認証速度などを考慮して様々な出入り許容条件を設定することができる。
【０１１４】
ここで、本マルチ生体認識装置１００を用いた出入りシステムでは、説明しやすくするために、ゲート２００（出入りセキュリティゲート２００）を通過するための用途として本マルチ生体認識装置１００を説明するが、本マルチ生体認識装置１００は、これに限定されるものではなく、セキュリティに関わるすべてのシステムに適用できることを理解すべきである。
【０１１５】
以下では、マルチ生体データを用いた非接触式マルチ生体認識方法について説明する。
【０１１６】
ちなみに、マルチ生体データを用いた非接触式マルチ生体認識方法を説明するための各構成要素については、説明の便宜上、本マルチ生体認識装置１００の説明に用いた符号と同じ符号を用い、重複した説明を省略する。
【０１１７】
まず、本マルチ生体認識装置１００を用いた非接触式マルチ生体認識方法を説明するに先立って、本マルチ生体認識装置１００を用いた生体データの登録過程について説明する。
【０１１８】
図１を参照すると、ユーザ１または管理者は、本マルチ生体認識装置１００にユーザ１の生体データを登録する必要がある。ユーザ１の生体データの登録は、基本的にユーザ１の特徴を抽出して保存する行為である。このように取得したユーザ１のすべての生体データは、生体データ登録部３０に保存されてもよい。生体データ登録部３０に登録されているユーザ１のすべての生体データは、データの保存のために生体データ保存データベース６０にバックアップされてもよい。本マルチ生体認識装置１００と生体データ保存データベース６０とは、有線または無線で連結されてもよい。
【０１１９】
次に、マルチ生体データを用いた非接触式マルチ生体認識方法について説明する。
【０１２０】
図７を参照すると、本マルチ生体認識装置１００は、測定可能な所定の範囲内にユーザ１が感知された場合、待機状態を解除する（Ｓ１１０）。
【０１２１】
待機状態が解除された後、本マルチ生体認識装置１００は、非接触状態のユーザ１から複数の生体データを取得した後、取得した複数の生体データを予め登録された生体データとそれぞれ比較して、各生体データに関するユーザ認証を行う（Ｓ１２０）。
【０１２２】
さらに詳しくは、図８を参照すると、本マルチ生体認識装置１００は、所定の範囲内にユーザ１が感知された場合、ユーザ１から指紋に関する生体データ及び手のひら静脈に関する生体データを同時に取得し、予め登録された生体データと比較（Ｓ１２１、Ｓ１２２）した後、各生体データに関するユーザ認証を行う。
【０１２３】
すなわち、指紋に関するユーザ認証及び手のひら静脈に関するユーザ認証は、同時に行われてもよい。
【０１２４】
ここで、「同時に行われる」とは、複数の過程が時間的に同じ時期に行われることだけを意味するのではなく、複数の過程が個別的に処理過程による時間差を有するが、全体のプロセスにおいて一回に統合処理されることを意味する。
【０１２５】
図９及び図１０を参照して、指紋及び手のひら静脈に関する生体データを用いたユーザ認証を行う過程をさらに詳細に説明する。
【０１２６】
図９を参照すると、本マルチ生体認識装置１００は、ユーザ１の身体情報が感知されると、指紋に関するユーザ認証を行う（Ｓ１２１）。
【０１２７】
さらに詳しくは、本マルチ生体認識装置１００は、ユーザ１が感知されると、ユーザ１から１つの指紋データを取得し（Ｓ１２１１）、取得した１つの指紋データから特徴点を抽出する（Ｓ１２１２）。そして、本マルチ生体認識装置１００は、１つの指紋データから抽出した特徴点を、予め登録された生体データから抽出した特徴点とリアルタイムで比較し（Ｓ１２１３）、各特徴点間の比較結果に基づいて指紋に関するユーザの認証可否を判断する（Ｓ１２１４）。
【０１２８】
ここで、１つの指紋データは、少なくとも１つ以上の指の指紋情報を含む複数のグループ指紋情報で形成されてもよい。
【０１２９】
複数のグループ指紋情報は、第１指紋認識カメラ１１１に撮影される第１グループ指紋情報、および第２指紋認識カメラ１１３に撮影される第２グループ指紋情報で形成されてもよい。
【０１３０】
したがって、複数のグループ指紋情報は、第１指Ｆ１に関する指紋情報および第２〜第４指Ｆ２、Ｆ３、Ｆ４に関する指紋情報を含む第１指紋データ（図６の（ａ））と、第１〜第２指Ｆ１、Ｆ２に関する指紋情報および第３〜第４指Ｆ３、Ｆ４に関する指紋情報を含む第２指紋データ（図６の（ｂ））と、第１〜第３指Ｆ１、Ｆ２、Ｆ３に関する指紋情報および第４指Ｆ４に関する指紋情報を含む第３指紋データ（図６の（ｃ））と、などで形成されてもよい。しかし、複数のグループ指紋情報は、前記実施形態に限定されるものではなく、より様々な方法で変更されてもよい。
【０１３１】
一方、本マルチ生体認識装置１００は、図９に示すように、１つの指紋データから抽出した特徴点を、予め登録された生体データから抽出した特徴点とリアルタイムで比較し（Ｓ１２１３）、１つの指紋データから抽出した特徴点と予め登録された生体データから抽出した特徴点との一致率が、所定の基準値未満である場合、再度ユーザ１から１つの指紋データを追加取得するように設定される。
【０１３２】
すなわち、本マルチ生体認識装置１００は、各特徴点間の一致率が所定の基準値未満である場合、再度ユーザ１から１つの指紋データを追加取得する。例えば、所定の基準値は、管理者により任意に設定できる。
【０１３３】
また、本マルチ生体認識装置１００は、再びユーザ１から１つの指紋データを追加取得する必要がある場合、ユーザから１つの指紋データを追加取得した回数を所定の回数と比較する（Ｓ１２１５）。
【０１３４】
したがって、本マルチ生体認識装置１００は、１つの指紋データから抽出した特徴点と予め登録された生体データから抽出した特徴点とをリアルタイムで比較した（Ｓ１２１３）とき、１つの指紋データから抽出した特徴点と予め登録された生体データから抽出した特徴点との一致率が、所定の基準値以上である場合、指紋に関するユーザ認証に成功したと判断する（Ｓ１２１４ａ）。逆に、本マルチ生体認識装置１００は、再びユーザ１から１つの指紋データを追加取得する必要がある場合、ユーザ１から１つの指紋データを追加取得した回数を所定の回数と比較し（Ｓ１２１５）、ユーザ１から１つの指紋データを追加取得した回数が所定の回数以上である場合、ユーザ認証に失敗したと判断する（Ｓ１２１４ｂ）。
【０１３５】
図１０を参照すると、本マルチ生体認識装置１００は、ユーザ１の身体情報が感知されると、前記指紋に関するユーザ認証を行う（Ｓ１２１）とともに、手のひら静脈に関するユーザ認証を行う（Ｓ１２２）。
【０１３６】
さらに詳しくは、本マルチ生体認識装置１００は、ユーザ１の身体情報が感知されると、ユーザ１から手のひら静脈データを取得し（Ｓ１２２１）、取得した手のひら静脈データから特徴点を抽出する（Ｓ１２２２）。そして、本マルチ生体認識装置１００は、手のひら静脈データから抽出した特徴点を、予め登録された生体データから抽出した特徴点と比較し（Ｓ１２２３）、各特徴点間の比較結果に基づいて手のひら静脈に関するユーザの認証可否を判断する（Ｓ１２２４）。
【０１３７】
したがって、本マルチ生体認識装置１００は、手のひら静脈データから抽出した特徴点と予め登録された生体データから抽出した特徴点とを比較した（Ｓ１２２３）とき、手のひら静脈データから抽出した特徴点と予め登録された生体データから抽出した特徴点との一致率が、所定の基準値以上である場合、手のひら静脈に関するユーザ認証に成功したと判断し（Ｓ１２２４ａ）、逆に、手のひら静脈データから抽出した特徴点と予め登録された生体データから抽出した特徴点との一致率が、所定の基準値未満である場合、手のひら静脈に関するユーザ認証に失敗したと判断する（Ｓ１２２４ｂ）。
【０１３８】
また、本マルチ生体認識装置１００は、所定の範囲内にユーザ１が感知された場合、ユーザ１から顔に関する生体データ及び虹彩に関する生体データを同時に取得し、予め登録された生体データと比較した（Ｓ１２３、Ｓ１２４）後、各生体データに関するユーザ認証をさらに行うことができる。
【０１３９】
すなわち、顔に関するユーザ認証及び虹彩に関するユーザ認証は、指紋に関するユーザ認証及び手のひら静脈に関するユーザ認証と同時に行われてもよい。
【０１４０】
図１１及び図１２を参照して、顔及び虹彩に関する生体データを用いたユーザ認証を行う過程についてさらに詳しく説明する。
【０１４１】
図１１を参照すると、本マルチ生体認識装置１００は、ユーザ１の身体情報が感知されると、顔に関するユーザ認証を行う（Ｓ１２３）。
【０１４２】
さらに詳しくは、本マルチ生体認識装置１００は、ユーザ１の身体情報が感知されると、ユーザ１から顔画像データを取得し（Ｓ１２３１）、取得した顔画像データから特徴点を抽出する（Ｓ１２３２）。そして、本マルチ生体認識装置１００は、顔画像データから抽出した特徴点を、予め登録された生体データから抽出した特徴点と比較し（Ｓ１２３３）、各特徴点間の比較結果に基づいて顔に関するユーザの認証可否を判断する（Ｓ１２３４）。
【０１４３】
したがって、本マルチ生体認識装置１００は、顔画像データから抽出した特徴点と予め登録された生体データから抽出した特徴点とを比較した（Ｓ１２３３）とき、顔画像データから抽出した特徴点と予め登録された生体データから抽出した特徴点との一致率が、所定の基準値以上である場合、顔に関するユーザ認証に成功したと判断し（Ｓ１２３４ａ）、逆に、顔画像データから抽出した特徴点と予め登録された生体データから抽出した特徴点との一致率が、所定の基準値未満である場合、顔に関するユーザ認証に失敗したと判断する（Ｓ１２３４ｂ）。
【０１４４】
図１２を参照すると、本マルチ生体認識装置１００は、ユーザ１の身体情報が感知されると、虹彩に関するユーザ認証を行う（Ｓ１２４）。
【０１４５】
さらに詳しくは、本マルチ生体認識装置１００は、ユーザ１の身体情報が感知されると、ユーザ１から虹彩データを取得し（Ｓ１２４１）、取得した虹彩データから特徴点を抽出する（Ｓ１２４２）。そして、本マルチ生体認識装置１００は、虹彩データから抽出した特徴点を予め登録された生体データから抽出した特徴点と比較し（Ｓ１２４３）、各特徴点間の比較結果に基づいて虹彩に関するユーザの認証可否を判断する（Ｓ１２４４）。
【０１４６】
したがって、本マルチ生体認識装置１００は、虹彩データから抽出した特徴点と予め登録された生体データから抽出した特徴点を比較した（Ｓ１２４３）とき、虹彩データから抽出した特徴点と予め登録された生体データから抽出した特徴点との一致率が、所定の基準値以上である場合、虹彩に関するユーザ認証に成功したと判断し（Ｓ１２４４ａ）、逆に、虹彩データから抽出した特徴点と予め登録された生体データから抽出した特徴点との一致率が、所定の基準値未満である場合、虹彩に関するユーザ認証に失敗したと判断する（Ｓ１２４４ｂ）。
【０１４７】
再び図７を参照すると、本マルチ生体認識装置１００は、前記各生体データに関するユーザ認証が完了すると、各生体データに関するユーザ認証結果を総合して、各生体データに関するユーザ認証結果が所定の認証条件を満たしている場合、ユーザ１を認可されたユーザとして判断する（Ｓ１３０）。
【０１４８】
さらに詳しくは、図１３を参照すると、本マルチ生体認識装置１００は、各生体データに関するユーザ認証が完了すると、成功したユーザ認証結果と所定のユーザ認証条件との一致可否を確認する（Ｓ１３１）。
【０１４９】
すなわち、本マルチ生体認識装置１００は、各生体データに関するユーザ認証が完了すると、成功したユーザ認証結果を総合した後、これを所定のユーザ認証条件と比較して一致可否を確認する。
【０１５０】
例えば、所定のユーザ認証条件としては、１つの生体データに基づいたユーザ認証条件、マルチ生体データに基づいたユーザ認証条件、指定された１つの生体データを含むマルチ生体データに基づいたユーザ認証条件、指定されたマルチ生体データを含むマルチ生体データに基づいたユーザ認証条件などの様々な条件を設定することができる。
【０１５１】
そして、本マルチ生体認識装置１００は、成功したユーザ認証結果と所定のユーザ認証条件との一致可否の結果に基づいて、ユーザの認可可否を判断する（Ｓ１３２）。
【０１５２】
すなわち、本マルチ生体認識装置１００は、成功したユーザ認証結果が所定のユーザ認証条件と一致した場合、ユーザ１を認可されたユーザとして判断し、逆に、成功したユーザ認証結果が所定のユーザ認証条件と一致しない場合、ユーザ１を認可されていないユーザとして判断する。
【０１５３】
このように本発明の実施形態では、独立した生体認識技術を融合して、多数の生体認識及び識別を同時に行うことができ、審美的に優れユーザ１フレンドリーなユーザインタフェースを提供することができる。
【０１５４】
また、生体データの登録および識別過程で時間がかかることや不便さを減らし、生体認識過程での心理的抵抗感を減らすことができる。特に、生体情報の認識率が高く、しかもその内部装置がユーザ１に見えないため、ユーザ１拒否感や不快感が減少したマルチ生体認識装置１００を提供することができる。
【０１５５】
また、ユーザ１から生体データが入力された場合、ユーザ１識別が成功するまで、ユーザ１の身体から取得したすべての生体データを、予め登録されている生体データとリアルタイムで比較してユーザ１の識別を行うことにより、ユーザ１識別の失敗確率を下げ、迅速なユーザ１識別を行うことができる。
【０１５６】
前述した本発明の説明は、例示のためのことであり、本発明が属する技術分野における通常の知識を有する者は、本発明の技術的思想や必須な特徴を変更することなく、他の具体的な形態に容易に変形可能である。したがって、以上で記述した実施形態等は、すべての面において例示的なものであり、限定的なものではないと理解せねばならない。例えば、単一型として説明されている各構成要素は、分散されて実施されてもよく、同様に、分散されたものと説明されている構成要素も、結合された形態で実施されてもよい。
【０１５７】
本発明の範囲は、後述する特許請求の範囲によって示され、特許請求の範囲の意味、範囲およびその等価概念から導出されるすべての変更または変形された形態が本発明の範囲に含まれる。
発明を実施するための形態は、上記の発明を実施するための最良の形態で共に記述された。
【産業上の利用可能性】
【０１５８】
本発明は、非接触式マルチ生体認識方法に関するものであり、各種の認証システムに適用可能であり、反復可能性があるという産業上の利用可能性がある。
【図１】
0006849200.tif 000002
【図２】
0006849200.tif 000003
【図３】
0006849200.tif 000004
【図４】
0006849200.tif 000005
【図５】
0006849200.tif 000006
【図６】
0006849200.tif 000007
【図７】
0006849200.tif 000008
【図８】
0006849200.tif 000009
【図９】
0006849200.tif 000010
【図１０】
0006849200.tif 000011
【図１１】
0006849200.tif 000012
【図１２】
0006849200.tif 000013
【図１３】
0006849200.tif 000014